【事件の表示】
　特許第５８０２５２８号に関する訂正審判事件について、次のとおり審決する。
【結　論】
　特許第５８０２５２８号の明細書、特許請求の範囲を本件審判請求書に添付した訂正明細書、特許請求の範囲のとおり訂正することを認める。
【理　由】
第１　手続の経緯
　本件訂正審判の請求に係る特許第５８０２５２８号（以下、「本件特許」という。）は、平成２３年１１月３０日の出願であって、平成２７年９月４日に特許権の設定登録がなされ、平成２８年２月４日に本件訂正審判の請求がなされた。
第２　請求の趣旨
　本件訂正審判の請求の趣旨は、本件特許の明細書、特許請求の範囲を本件審判請求書に添付した訂正明細書、特許請求の範囲のとおり訂正することを認める、との審決を求めるものである。 
第３　訂正の内容
　本件特許の訂正の内容は、次のとおりである（下線は、訂正箇所を示す。）。
１　訂正事項１
　本件特許の特許請求の範囲の請求項１の、
「前記演出順列情報選択手段は、前記演出順列情報選択手段により未だ前記一の演出順列情報が選択されていない場合において前記演出実行手段により前記所定の演出を実行させる場合には、前記一の演出順列情報を選択するとともに、前記実行態様判定手段により、前記一の演出順列情報に含まれる全ての実行態様が決定されたと判定された場合、改めて前記演出順列情報群記憶手段に記憶された前記演出順列情報の中から一の演出順列情報を選択し、」との記載を、
「前記演出順列情報選択手段は、前記演出順列情報選択手段により未だ前記一の演出順列情報が選択されていない場合において前記演出実行手段により前記所定の演出を実行させる場合には、前記一の演出順列情報を選択するとともに、前記実行態様判定手段により、前記一の演出順列情報に含まれる全ての実行態様が決定されたと判定された場合、改めて前記演出順列情報群記憶手段に記憶された前記演出順列情報
群
２　訂正事項２
　本件特許明細書における段落【００１０】の、
「上記演出順列情報選択手段は、上記演出順列情報選択手段により未だ上記一の演出順列情報が選択されていない場合において上記演出実行手段により上記所定の演出を実行させる場合には、上記一の演出順列情報を選択するとともに、上記実行態様判定手段により、上記一の演出順列情報に含まれる全ての実行態様が決定されたと判定された場合、改めて上記演出順列情報群記憶手段に記憶された上記演出順列情報の中から一の演出順列情報を選択し、」との記載を、
「上記演出順列情報選択手段は、上記演出順列情報選択手段により未だ上記一の演出順列情報が選択されていない場合において上記演出実行手段により上記所定の演出を実行させる場合には、上記一の演出順列情報を選択するとともに、上記実行態様判定手段により、上記一の演出順列情報に含まれる全ての実行態様が決定されたと判定された場合、改めて上記演出順列情報群記憶手段に記憶された上記演出順列情報
群
第４　当審の判断
１　訂正事項１について
（１）訂正の目的
　訂正前の請求項１には、「改めて前記演出順列情報群記憶手段に記憶された前記演出順列情報の中から一の演出順列情報を選択し、」との記載がある。
　この記載は、第１に、「演出順列情報群記憶手段」は、「演出順列情報群」を記憶するものと認められるところ、「前記演出順列情報」が「記憶された」と記載されている点、第２に、「前記演出順列情報の中から一の演出順列情報を選択」と記載されており、複数であることが明記されていない「演出順列情報」から、「一の演出順列情報を選択」すると記載されている点において、不明瞭な記載となっていた。
　訂正事項１は、本件訂正前の請求項１に記載された「改めて前記演出順列情報群記憶手段に記憶された前記演出順列情報の中から一の演出順列情報を選択し、」を、「改めて前記演出順列情報群記憶手段に記憶された前記演出順列情報
群
　よって、訂正事項１は、特許法第１２６条第１項ただし書第３号で規定する明瞭でない記載の釈明を目的とするものである。
（２）新規事項の追加及び特許請求の範囲の拡張又は変更の有無
　本件特許の特許請求の範囲の請求項１には、「複数の実行態様のうちから一の実行態様にて実行される前記所定の演出が取り得る少なくとも２以上の前記実行態様が、所定の実行順序で順列して構成された第１演出順列情報と、当該第１演出順列情報を構成する前記実行態様と同じ実行態様を少なくとも１以上含む２以上の前記実行態様が、前記第１演出順列情報とは異なる実行順序で順列して構成された第２演出順列情報とを少なくとも有する演出順列情報群を記憶する演出順列情報群記憶手段と、前記演出順列情報群記憶手段に記憶された前記演出順列情報群の中から一の演出順列情報を選択する演出順列情報選択手段と、」と記載されており、演出順列情報群の中から一の演出順列情報を選択することが記載されている。
　また、本件特許明細書の段落【０２８９】−【０２９１】には、「図１７Ｂに示すシナリオ演出用決定テーブルによれば、「シナリオＡ」は、「演出態様Ａ」、「演出態様Ｃ」、「演出態様Ｆ」、「演出態様Ｂ」、「演出態様Ｄ」、「演出態様Ｅ」の順序で順列して構成されている。また、「シナリオＢ」は、「演出態様Ｃ」、「演出態様Ｂ」、「演出態様Ｄ」、「演出態様Ｅ」、「演出態様Ａ」、「演出態様Ｆ」の順序で順列して構成されている。…そして、シナリオ演出判定用乱数値が「０」の場合に「シナリオＡ」と判定される。また、シナリオ演出判定用乱数値が「１」の場合に「シナリオＢ」と判定される。…「シナリオＡ」と判定される確率は、１／４であり、「シナリオＢ」、「シナリオＣ」及び「シナリオＤ」も同様に１／４である。」と記載されている（【図１７Ｂ】も、合わせて参照のこと。）。
　本件特許明細書の段落【０２８９】−【０２９１】に記載された「シナリオＡ」ないし「シナリオＤ」のそれぞれが、本件特許の請求項１に記載された「第１演出順列情報」又は「第２演出順列情報」に対応し、「シナリオＡ」ないし「シナリオＤ」からなる４つのシナリオが、「演出順列情報群」に対応するものと認められる。
　そして、本件特許明細書の段落【０２８９】−【０２９１】には、「シナリオＡ」ないし「シナリオＤ」からなる４つのシナリオから、シナリオ演出用乱数値に応じて、「シナリオＡ」ないし「シナリオＤ」のうちいずれか１つと判定されること、すなわち、演出順列情報群の中から一の演出順列情報を選択することが記載されている。
　したがって、訂正事項１は、本件特許の特許請求の範囲の請求項１と、本件特許明細書の段落【０２８９】−【０２９１】に記載された事項に基づくものであるから、訂正事項１は、本件特許明細書、特許請求の範囲、又は図面（以下、「本件特許明細書等」という。）に記載された事項又は記載された事項から自明な事項であり、本件特許明細書等に記載したすべての記載を総合することにより導かれる技術的事項との関係において、新たな技術的事項を導入しないものであるから、本件特許明細書等に記載した事項の範囲内においてなされたものであり、特許法第１２６条第５項の規定に適合する。
　また、訂正事項１は、実質上特許請求の範囲を拡張し、又は変更するものに該当せず、特許法第１２６条第６項の規定に適合する。
２　訂正事項２について
（１）訂正の目的
　訂正事項２は、訂正事項１に整合させるために、本件特許明細書の段落【００１０】を上記のように訂正しようとするものである。
　したがって、訂正事項２は、特許法第１２６条第１項ただし書第３号に規定する明瞭でない記載の釈明を目的とするものである。
（２）新規事項の追加及び特許請求の範囲の拡張又は変更の有無
　訂正事項１と同じ理由により、訂正事項２は、本件特許明細書等に記載した事項の範囲内においてなされたものであり、実質上特許請求の範囲を拡張し、又は変更するものに該当しない。
　したがって、訂正事項２は、特許法第１２６条第５項及び第６項の規定に適合する。
第５　むすび
　以上のとおり、本件訂正審判請求に係る訂正は、特許法第１２６条第１項ただし書第３号に掲げる事項を目的とするものであり、かつ同法同条第５項及び第６項の規定に適合するものである。
　よって、結論のとおり審決する。